(57)【要約】【課題】  本発明は、洗濯槽内を見るための透明部内側の透明性を保ち、洗濯乾燥工程において洗濯槽内を確実に見渡せる洗濯乾燥機を提供することを目的とする。【解決手段】  本発明は、本体と、該本体内に配置され、上部が開口した外槽と、上部が開口し、前記外槽内に回転自在に配置された内槽と、前記外槽の上部を覆う内蓋と、前記外槽，内槽及び内蓋を覆う外蓋と、洗濯及び／又は乾燥の運転工程を有する洗濯乾燥機において、前記内槽は少なくとも一部が透明又は半透明で構成され、透明又は半透明で構成された内蓋の内部側の面にはナノサイズの酸化チタンを施したことを特徴とする。【選択図】図２
2008295957.tif 000002
【特許請求の範囲】
【請求項１】
本体と、該本体内に配置され、上部が開口した外槽と、上部が開口し、前記外槽内に回転自在に配置された内槽と、前記外槽の上部を覆う内蓋と、前記外槽，内槽及び内蓋を覆う外蓋と、洗濯及び／又は乾燥の運転工程を有する洗濯乾燥機において、前記内槽は少なくとも一部が透明又は半透明で構成され、透明又は半透明で構成された内蓋の内部側の面にはナノサイズの酸化チタンを施したことを特徴とする洗濯乾燥機。
【請求項２】
本体と、該本体内に配置され、前部が開口した外槽と、前部が開口し、前記外槽内に回転自在に配置されたドラムと、前記外槽の開口を覆う蓋体とを有し、洗濯及び／又は乾燥の運転工程を有するドラム式洗濯乾燥機において、前記蓋体は少なくとも一部が透明又は半透明で構成され、透明または半透明で構成された蓋体の内部側の面には、ナノサイズの酸化チタンを施したことを特徴とするドラム式洗濯乾燥機。
【請求項３】
前記透明又は半透明で構成され酸化チタンを施した内蓋部に、光が照射されるように光源を設置したことを特徴とする請求項１又は２の洗濯乾燥機。
【請求項４】
前記透明又は半透明で構成され酸化チタンを施した内蓋部に照射する光の波長が少なくとも３８０ｎｍ以下の紫外光成分を含む光源である請求項３の洗濯乾燥機。
【請求項５】
前記酸化チタンの粒子径は１２０μｍ以下である請求項１又は２の洗濯乾燥機。
【発明の詳細な説明】
【技術分野】
【０００１】
本発明は、衣類投入口の内蓋部に透明又は半透明で構成され、該透明又は半透明部において、水滴や蒸気の結露による曇り防止、更には消臭機能を有する洗濯乾燥機に関するものである。
【背景技術】
【０００２】
洗濯から乾燥までできる洗濯乾燥機は全自動式洗濯機に類似外観形態をした上面に開口部を持つ縦型式洗濯乾燥機と、衣類乾燥機様の外観形態をした前面に開口部を持つドラム式洗濯乾燥機が主流である。
【０００３】
縦型式洗濯乾燥機では、従来の全自動洗濯機と異なり、乾燥工程において温風を気密するため、外蓋の他に、洗濯水を溜める外槽部に内蓋が設けられている。該内蓋は、万一内部の洗濯物が発火した場合においても延焼しないように、不燃材で構成されるのが一般的である。
【０００４】
縦型式洗濯乾燥機において、該内蓋部の一部をガラスで構成することで、蓋を閉めた状態でも内部が可視可能な洗濯乾燥機が存在する。
【０００５】
ドラム式洗濯乾燥機においては、前面部に設けられたドアが２重構造になっていて、外面を透明なプラスチックで、内面をガラスで構成され、内部が可視可能な構造が一般的である（特開２００６−２２３５３９号公報）。
【特許文献１】特開２００６−２２３５３９号公報
【発明の開示】
【発明が解決しようとする課題】
【０００６】
上記従来技術においては、縦型洗濯乾燥機の場合は内蓋に透明部が設けられ、外蓋を更に透明の素材で構成することで、内部が可視構造になり、又、ドラム式洗濯乾燥機の場合も前面ドアが透明素材で構成されているため、やはり、内部が可視構造となっていて、洗濯乾燥工程における動作状況や洗濯槽内に置き忘れた衣類があるか否かを、蓋体を開けることなく確認することができる。しかしながら、実際には、洗濯工程においては、洗濯液やすすぎ水の水はねにより内蓋あるいは前面ドアの内面に水滴が付着し、又、乾燥工程においては、乾燥運転による蒸気の結露により蓋内面が曇った状態となり、洗濯槽内部は見えにくくなる、という欠点があった。
【０００７】
そこで、本発明は、上記問題点に鑑み、洗濯槽内を見るための透明部内側の透明性を保ち、洗濯乾燥工程、或いは、冬場の結露しやすい状況においても、洗濯槽内を確実に見渡せる洗濯乾燥機を提供することを目的とする。
【課題を解決するための手段】
【０００８】
本発明は、本体と、該本体内に配置され、上部が開口した外槽と、上部が開口し、前記外槽内に回転自在に配置された内槽と、前記外槽の上部を覆う内蓋と、前記外槽，内槽及び内蓋を覆う外蓋と、洗濯及び／又は乾燥の運転工程を有する洗濯乾燥機において、前記内槽は少なくとも一部が透明又は半透明で構成され、透明又は半透明で構成された内蓋の内部側の面にはナノサイズの酸化チタンを施したことを特徴とする。
【０００９】
又、本発明は、本体と、該本体内に配置され、前部が開口した外槽と、前部が開口し、前記外槽内に回転自在に配置されたドラムと、前記外槽の開口を覆う蓋体とを有し、洗濯及び／又は乾燥の運転工程を有するドラム式洗濯乾燥機において、前記蓋体は少なくとも一部が透明又は半透明で構成され、透明または半透明で構成された蓋体の内部側の面には、ナノサイズの酸化チタンを施したことを特徴とするドラム式洗濯乾燥機。
【００１０】
又、前記透明又は半透明で構成され酸化チタンを施した内蓋部に、光が照射されるように光源を設置したことを特徴とする。
【００１１】
又、前記透明又は半透明で構成され酸化チタンを施した内蓋部に照射する光の波長が少なくとも３８０ｎｍ以下の紫外光成分を含む光源を設けたことを特徴とする。
【００１２】
又、前記、内蓋、或いは、蓋体の内面に施された酸化チタンの粒子径は３６０μｍ以下であることを特徴とする。
【発明の効果】
【００１３】
本発明によれば、洗濯乾燥工程中において、蓋体の内面に飛び跳ねした水滴や蒸気の結露による見えにくさを解消し、洗濯槽内を見渡せることが可能な洗濯乾燥機を提供できる。
【発明を実施するための最良の形態】
【００１４】
≪第１実施形態≫
以下、本発明の第１実施形態について、図面１から図５を引用して説明する。
【００１５】
まず、図１を引用し、縦型洗濯乾燥機の概要について説明する。
【００１６】
洗濯乾燥機の外枠１は、洗濯水を内置する外槽２を内置する。外槽２は外枠１に防振支持される。洗浄したり、乾燥したりされる洗濯物を収納する洗濯脱水槽（内槽）３は、外槽２内に回転自在に支持される。
【００１７】
内槽３は、胴部に多数の脱水孔９を有する。この脱水孔９から、脱水回転時に洗濯物２７に含まれる水分が遠心脱水される。
【００１８】
洗濯物を撹拌して洗う撹拌翼１０は、内槽３に回動自在に内置される。洗濯運転時、および乾燥運転時には、撹拌翼１０は正転／逆転が繰り返される。脱水運転時には、撹拌翼１０は内槽３と一緒に高速回転し、内槽３内の洗濯物に含まれる水分が脱水される。
【００１９】
洗濯乾燥用駆動モータ１１は、撹拌翼１０、および内槽３の回転駆動を行う。洗濯乾燥用駆動モータ１１は、ＤＣブラシレスモータを使用する。
【００２０】
外蓋１７は外枠１の上部に備わるトップカバー７に開閉自在に設けられている。
【００２１】
更に、内蓋１８は外槽２の上部に設けられた上面開口を持つ槽カバー３５に開閉自在に設けられ、乾燥工程時に外槽２からの温風や湿気を含んだ空気の漏れを防止するため、パッキン（図示せず）を設けた気密構造になっている。
【００２２】
外蓋１７を開いて、更に内蓋１８を開き、内槽３内に洗濯物の出し入れを行う。
【００２３】
水道水給水弁１４は、トップカバー７の後側内部に置かれる。水道水給水弁１４の上流側に接続された水道水ホース１６の他端は水道栓（図示せず）に接続される。水道水給水弁１４の下流側に接続された注水路１５は蛇腹注水管１００を介して外槽２の上側に連通するように接続される。
【００２４】
水道水は、水道水給水弁１４を開放作動させることにより、注水路１５を流れて外槽２や内槽３に注がれる。
【００２５】
排水電磁弁１２は、外槽２の底部下方の外枠１内に設けられる。排水電磁弁１２の上流側に接続された内部排水ホース１９の反対側は外槽２の底部に連通するように接続される。排水電磁弁１２の下流側に接続される排水ホース１３の反対側は家屋に備わる排水路に挿入される。
【００２６】
外槽２内の洗濯水は、排水電磁弁１２を開放作動させることにより、内部排水ホース１９，排水ホース１３を流れて機外に排出される。
【００２７】
送風ファン２５は、水冷除湿器２４と送風口２６の間の通風路に設けられる。この送風ファン２５に送られて、乾燥用空気が内槽３，水冷除湿器２４を環流する。
【００２８】
内槽３内で洗濯物２７から奪取した多くの水分を含む乾燥用空気は、送風ファン２５に吸気されて水冷除湿器２４に流入し、冷却される。水分を凝縮水として排出した乾燥用空気は湿度が低下する。
【００２９】
低湿度になった乾燥用空気は、ヒータ２９に流れて温められ、更に湿度が低下する。温度が高く、湿度のより低くなった乾燥用空気が送風ファン２５により洗濯槽３内に送り込まれるので、洗濯物２７の水分が多く蒸発され、乾燥が速く、良く行われるのである。
【００３０】
次に本発明の主要部になる内蓋透明部について図１から図５を引用し説明する。
【００３１】
内蓋１８には槽内が見えるように、中央に開口部が設けてある。本実施形態では、開口部にガラス製の透明窓３０ａを固定するため、内側（槽内部側）にはステンレス鋼板をプレスした内蓋サポート３２を設けた２重構造になっている。内蓋サポート３２にも内蓋１８の開口部同様、槽内部が見えるように開口部が設けている。
【００３２】
さらに内蓋サポート３２の開口部には、内部が見えるように透明窓３０ａが、透明窓パッキン３３を介して設けている。
【００３３】
透明窓３０ａはガラス製である。これは槽内側では、万一、槽内の洗濯物が発火した場合にも延焼防止ができるため、このような不燃のガラス製であることが好ましい。又、後述する酸化チタン光触媒３１との親和性（密着性）においても、プラスチック素材よりガラスの方がより好ましい。
【００３４】
本実施形態では、内蓋１８の外面側にも透明部材でできた内窓３０ｂを設けた二重構造になっているが、この素材については、透明のプラスチックであっても、ガラスその他の透明材であっても構わない。
【００３５】
本実施形態においては、コスト面を考慮して、透明プラスチックである透明ＡＢＳを用いた。
【００３６】
無論、透明であれば、ＰＥＴやアクリル，ＰＳ，ＰＣなど、その他の素材を用いることも可能である。
【００３７】
但し、ＰＣやＰＳは洗剤に対して環境応力割れを生じることがあるので、素材の選定については、耐洗剤、その他の薬剤（柔軟仕上げ剤，漂白剤など）に対する耐性を考慮しなければならないことはいうまでもない。
【００３８】
該内蓋透明窓３０ａの槽内側の面には酸化チタン光触媒３１が塗布されている。
【００３９】
又、外蓋１７の内面には光源２８が設けられている。この光源２８の光の波長範囲は、可視光領域から紫外光までの範囲のうち、少なくとも可視光の一部、及び、紫外光の一部を含むことで、可視光により槽内部の視認性を向上させるとともに、紫外光により酸化チタン光触媒３１を活性化させることが可能である。
【００４０】
通常、透明窓３０ａから、外光が差し込むため、これにより酸化チタン光触媒３１は活性化されているが、このように光源２８を設けることで、さらに活性化させ酸化チタン光触媒３１の効果を向上させることができる。
【００４１】
酸化チタン光触媒３１の粒子径は透明性を阻害しないように、可視光の波長下限である３６０ｎｍ以下であることが望ましく、さらには可視光波長の１／３となる１２０ｎｍ以下であることがより望ましい。
【００４２】
本発明では、酸化チタン光触媒３１として、粒径２０〜３０ｎｍのものを用いたため、極めて高い透明性を実現した。
【００４３】
酸化チタン光触媒３１は、光により活性化されると、水酸イオンなどの活性酸素を発生し、塗布された表面層を親水化する効果がある。図４及び図５に示すように、この効果により、水滴３４ａや結露水３４ｂの接触角が小さくなり、水滴ではなく、膜状に形成されるため、表面の水滴により光が散乱されることがなく、透明性が確保される。
【００４４】
さらに、酸化チタン光触媒３１には、臭い成分などの有機化合物を分解消臭する機能を有しており、槽内面側に塗布することで、槽内で衣類から発生した臭いを消臭除去する効果もある。
【００４５】
酸化チタン光触媒３１は、水に分散させたものを用い、ガラス表面をアルカリ洗浄剤で清浄にした後、塗布し、膜厚１μｍの層を形成した。
【００４６】
酸化チタン光触媒３１はガラスに対して親和性が高く、かつ、本発明においては、酸化チタン光触媒の粒径をナノサイズにすることで、酸化チタン粒子の質量に対する親和力が相対的に強くなり、ガラス表面にバインダーのような接着剤を用いなくても、強固にガラス表面に固着するのである。
【００４７】
又、粒径がナノサイズであることは、比表面積が大きくなるため、光触媒としての親水化効果や消臭効果も高く、さらにバインダーを用いることなく表面層を形成しているので、酸化チタン粒子の光活性を持つ活性点が覆われることもないため、より有効に機能させることができるのである。
【００４８】
もちろん、光触媒効果は低減するがバインダーを用いて、酸化チタン光触媒層を形成することも可能である。特に、透明部材としてプラスチックのような素材を用いた場合、親水性の酸化チタンは固着しにくいため、バインダーを用いて酸化チタン光触媒層を形成することは有効な手段となりうる。
【００４９】
≪第２実施形態≫
次に、本発明の第２実施形態について、図６から図１４を引用して説明する。
【００５０】
＜ドラム式洗濯乾燥機の構成＞
第２実施形態に係るドラム式洗濯乾燥機１０１は、筐体１１０と、外槽１２０と、回転ドラム１３０と、乾燥時に作動する乾燥手段と、ベローズ１５０と、ドア１６０と、ヒンジ１７０と、ロック手段と、押ピン１８０Ａ，１８０Ｂ（図９参照）とを主に備えている。そして、回転ドラム１３０の回転軸Ａは斜めに配置されている（図８参照）。ここで、明確に説明するため、図６に示すように、前後上下左右を設定する。
【００５１】
＜筐体＞
筐体１１０は、図６に示すように、ドラム式洗濯乾燥機１０１の外枠筐体であって、運転時の振動を減衰させるため、四隅にゴム製の脚１１１ａを有する筐体ベース１１１上に配置されている。ただし、筐体ベース１１１のない構成でもよい。
【００５２】
筐体１１０は、例えばプレス成型によって得られた金属製の前パネル１１２（図７参照）、左パネル，右パネル，後パネル等によって構成されたフレームと、このフレームを覆いドラム式洗濯乾燥機１０１の外観意匠面を形成する樹脂製の前パネル１１３等とを備えて構成されている。
【００５３】
筐体１１０の前側には洗濯物Ｗの投入口１１０ａが形成されており（図８参照）、投入口１１０ａはドア１６０によって、適宜に開閉されるようになっている。また、筐体１１０の右側面には、後記する排水ホース１２４が掛止される掛止穴１１０ｂが形成されている。
【００５４】
筐体１１０の前面右上には、ドア１６０のロックを解除するために押されるロック解除ボタン１１４が配置されている。
【００５５】
その他、筐体１１０の前面には、後記する洗剤ケース１１９の他、フィルタケース１１５Ａ，フィルタケース１１５Ｂ，操作部１１６Ａ，１１６Ｂが配置されている。フィルタケース１１５Ａには、洗濯及びすすぎ時に循環する循環水に同伴する糸くず等を回収するフィルタが装填されている。フィルタケース１１５Ｂには、乾燥時に循環する空気に同伴する埃等を回収するフィルタが装填されている。操作部１１６Ａは、運転者が洗濯モード等を選択するために操作する部分であり、表示部１１６Ｂは選択された洗濯モード等を表示する部分である。
【００５６】
さらに、筐体１１０の左側面及び右側面には、ドラム式洗濯乾燥機１０１を持ち運ぶための把手１１７が適所に設けられている。
【００５７】
図８に示すように、筐体１１０の内部上側には、電磁式の給水弁１１８と、洗剤が投入される洗剤ケース１１９とが配置されている。そして、給水弁１１８が開かれると、水道の蛇口（図示しない）から、給水ホース１１８ａ，給水弁１１８，注水ホース１１８ｂを介して、洗剤ケース１１９に水道水が流れ込み、洗剤を溶かした後、フレキシブルホース１１９ａを介して、外槽１２０内に流れ込むようになっている。
【００５８】
なお、洗剤ケース１１９には、すすぎ時に洗濯物Ｗの仕上がりを良くするための柔軟剤が投入される柔軟剤投入ケース（図示しない）も並設されている。
【００５９】
＜外槽＞
外槽１２０は、洗濯水又はすすぎ水を溜める有底円筒体であって、筐体１１０内に、サスペンション１２１によって、その下方より支持された状態で配置されている。また、外槽１２０の軸線は斜めで、その後側が下がった状態となっており、その前側が開口している。さらに、外槽１２０には、乾燥時に空気が通過する通気孔１２０ａ，通気孔１２０ｂが形成されている。
【００６０】
外槽１２０及びこれと同軸である回転ドラム１３０の回転軸Ａの傾きの程度は、洗濯物Ｗの取り出し等を考慮して、回転軸Ａと水平面とのなす角θ１が５〜３０°であることが好ましく、１５°が最適である。
【００６１】
サスペンション１２１は、例えば、シリンダと圧縮コイルバネとを備えて構成される減衰装置である（図７参照）。また、サスペンション１２１は、外槽１２０の周方向において、複数（例えば３つ）で配置されると共に、外槽１２０の略重心を支持している。
【００６２】
外槽１２０の上部は、引きバネ１２２Ａ，引きバネ１２２Ｂ（引張コイルバネ）を介して、筐体１１０に接続されている。これにより、外槽１２０の倒れが防止されると共に、外槽１２０の姿勢が維持されつつ、脱水時における外槽１２０の上下，左右振動が低減されるようになっている。
【００６３】
外槽１２０の下部は、洗濯及びすすぎの終了時や、脱水時に開かれる排水弁１２３を介して、排水ホース１２４に接続されている。
【００６４】
＜回転ドラム＞
回転ドラム１３０は、例えばステンレス製の有底円筒体であって洗濯物Ｗを収容する槽であり、外槽１２０と同軸で、外槽１２０内に回転自在に配置されており、その前斜め上側が開口している。外槽の１２０の底壁の外側には、ブラケット（図示しない）等を介して、モータ１３１（例えばＤＣ−ＤＣブラシレスモータ）が取り付けられており、モータ１３１の出力軸１３１ａは、外槽１２０の底壁の出力軸孔を介して、外槽１２０内に伸びている。そして、回転ドラム１３０の底壁は、フランジ，底壁を補強する円盤状の補強板（図示しない）を介して、出力軸１３１ａに固定されている。すなわち、回転ドラム１３０は、モータ１３１に片持ちで回転自在に支持されている。
【００６５】
また、回転ドラム１３０の周壁には、複数の脱水孔１３０ａが形成されている。そして、脱水時において、モータ１３１により回転ドラム１３０が回転すれば、遠心力によって、洗濯物Ｗの水分が脱水孔１３０ａを介して外槽１２０に脱水されるようになっている。
【００６６】
さらに、回転ドラム１３０の底壁には、乾燥時に空気が通過する複数の通気孔１３０ｂが形成されている。
【００６７】
さらにまた、回転ドラム１３０の内周面には、周方向に複数本のリフター１３２が等間隔で設けられている（例えば３本の場合、１２０°間隔）。これにより、回転ドラム１３０奥側（底側）の洗濯物Ｗも、効率的にかき上げられるようになっている。
【００６８】
また、回転ドラム１３０の前側開口の縁部には、リング状の流体バランサ１３３が設けられている。流体バランサ１３３は、脱水時に回転する回転ドラム１３０のバランスを保ち、振動を低減させるものである。
【００６９】
このような流体バランサ１３３は、その内部にリング状の空間を有しており、この空間に塩化カリウム水溶液等の比重の高い流体が収容されている。
【００７０】
＜乾燥手段＞
乾燥手段は、乾燥時に作動することで、洗濯物Ｗを乾燥する手段であって、ファン１４１と、ヒータ１４２と、除湿器１４３とを備えている。ファン１４１及びヒータ１４２は、外槽１２０の上に配置されている。
【００７１】
除湿器１４３は、外槽１２０の底壁の外側で、モータ１３１とずれた位置に配置されている。なお、除湿器１４３は、水道水等の低温流体が通流する冷却管（図示しない）を備えている。
【００７２】
そして、乾燥時に、ファン１４１，ヒータ１４２及び除湿器１４３が作動すると、ファン１４１からの空気が、ヒータ１４２で暖められた後、外槽１２０の通気孔１２０ａを介して、回転ドラム１３０内に送り込まれるようになっている。
【００７３】
次いで、この空気は、回転ドラム１３０の通気孔１３０ｂ，外槽１２０の通気孔１２０ｂを介して、除湿器１４３に送り込まれ、除湿器１４３で除湿された後、ファン１４１に戻り、循環するようになっている。
【００７４】
＜ベローズ＞
ベローズ１５０は、外槽１２０と筐体１１０との隙間をシールする環状のシール部材であって、可撓性を有するゴム等から形成され、蛇腹状を呈している（図８，図１０〜図１２参照）。このようなベローズ１５０は、環状のバネ１５８，バネ１５９によって、筐体１１０を構成する前パネル１１２と、外槽１２０とにそれぞれ取り付けられている。これにより、筐体１１０の内部に、洗濯水及びすすぎ水が、浸入しないようになっている。
【００７５】
また、ベローズ１５０は、径方向内側で斜めに突出した環状のリップ１５１を有している（図１０〜図１２参照）。そして、ドア１６０が閉じられ、その閉位置に配置されると、ドア１６０の後記するドア本体１６３がベローズ１５０内に押し込まれ、ドア本体１６３とベローズ１５０とが密着するようになっている。これにより、洗濯水，すすぎ水，乾燥時の空気が外部に漏れないようになっている。
【００７６】
詳細には、ドア１６０が閉じられると、ドア本体１６３によって、リップ１５１が径方向外側に押し広げられる共に、リップ１５１がドア本体１６３を径方向内側に締め付け、その結果、ドア１６０とベローズ１５０とが密着するようになっている（図１０参照）。
【００７７】
＜ドア＞
ドア１６０は、回転ドラム１３０に洗濯物Ｗを出し入れするため、筐体１１０にヒンジ１７０を介して開閉自在に設けられ、筐体１１０の投入口１１０ａを適宜に開閉する蓋である。
【００７８】
また、ドア１６０は、その閉位置において斜め、詳細には、回転ドラム１３０の前側開口が属する面と平行となるように、斜め（例えば、鉛直方向とドア１６０とのなす角度θ２は１５〜３０°、図８参照）で配置されている。
【００７９】
ドア１６０は、円形を呈しており、図１０から図１３に示すように、その骨格を構成するリング状のフレーム１６１と、フレーム１６１の前側に取り付けられドラム式洗濯乾燥機１０１の前側意匠面を形成する表面カバー１６２と、ドア本体１６３と、ドア１６０の周縁部に配置されるリング状の押え板１６４と、を備えている。そして、ドア本体１６３は、フレーム１６１の筐体１１０側に配置されると共に、ドア本体１６３の縁はフレーム１６１と押え板１６４とによって挟まれている。
【００８０】
ドア本体１６３は筐体１１０側に隆起しており、ドア１６０が閉じられ、その閉位置に配置されると、環状のベローズ１５０の中空部に押し込まれるようになっている。そして、このように押し込まれると、前記したように、ドア本体１６３の外周面にベローズ１５０のリップ１５１が密着し、その結果、ドア１６０とベローズ１５０とが密着するようになっている。このようなドア本体１６３は、乾燥温度に耐え得る材料、例えば、耐熱ガラスから形成される。
【００８１】
また、ドア本体１６３及び表面カバー１６２は、透明の材料から形成されており、ドア１６０が閉じた状態で、回転ドラム１３０内を視認可能となっている。
【００８２】
押え板１６４（当接部）は、ドア１６０が閉じられた場合に、筐体１１０の前パネル１１２に当接する部分である。
【００８３】
また、押え板１６４には、ヒンジ１７０の後記する回動アーム１７１が取り付けられるアーム取付部１６４ａが形成されている（図９参照）。
【００８４】
さらに、押え板１６４には、クランプ１６５が設けられており、ドア１６０が閉位置に配置された場合、クランプ１６５が後記するクランプ保持機構１７５（図１２参照）によって保持され、ドア１６０が閉位置でロックされ、その結果、ドア１６０が閉状態で維持されるようになっている。
【００８５】
＜ヒンジ＞
ヒンジ１７０は、図７，図１０及び図１２に示すように、筐体１１０に対してドア１６０を回動自在とする機構である。ヒンジ１７０は、その一端側がドア１６０のアーム取付部１６４ａ（図９参照）に取り付けられた回動アーム１７１と、回動アーム１７１の他端側を軸支すると共に、筐体１１０の前パネル１１２に取り付けられたブラケット１７２と、ヒンジバネ（図示しない）と、を備えている。
【００８６】
ヒンジバネは、例えば特開２００５−１４３７９４号公報に記載されているように、ドア１６０を開方向に付勢するバネであって、回動軸周り等の適所に配置されている。このようなドア１６０を開方向に付勢するヒンジバネを備えることにより、ドア１６０の開閉動作における操作性が向上するようになっている。
【００８７】
すなわち、小さな力でもヒンジバネによってアシストされるので、ドア１６０を容易に開くことが可能となっている。一方、ドア１６０を閉じる場合、ドア１６０を閉める力に対して、ヒンジバネの開方向に付勢する力が抗力となるので、ドア１６０が勢いよく閉じられないように設計されている。
【００８８】
また、ヒンジ１７０は、高さ方向において、ドア１６０の中間位置に配置されており、ドア１６０が略横方向に開くようになっている。
【００８９】
＜ロック手段＞
ロック手段は、ドア１６０を閉位置でロックするための手段であって、前記したクランプ１６５と、クランプ１６５を適宜に保持するクランプ保持機構１７５（図１２参照）と、を備えている。クランプ保持機構１７５は、スライダ１７６と、スライダ１７６を付勢する圧縮コイルバネ１７７とを備えている。
【００９０】
そして、ドア１６０が閉じられ、その閉位置に配置されると、スライダ１７６がクランプ１６５の中空部に挿通され（図１２、矢印Ａ１参照）、これにより、ドア１６０が閉位置でロックされるようになっている。
【００９１】
一方、ロック解除ボタン１１４（図６参照）が押されると、連動アーム（図示しない）等を介して、スライダ１７６がクランプ１６５から抜かれ（図１２、矢印Ａ２参照）、ドア１６０のロックが解除されるようになっている。
【００９２】
なお、ドア１６０が閉じられた際に、クランプ１６５によってスライダ１７６が矢印Ａ２の方向に後退するように、クランプ１６５に当接するスライダ１７６の当接面１７６ａはテーパ面となっている。
【００９３】
＜押ピン＞
押ピン１８０Ａ，１８０Ｂは、ドア１６０の初期開放を促進するためのピンである。すなわち、押ピン１８０Ａ，１８０Ｂは、ロック解除ボタン１１４（図６参照）が押され、ロック手段によるドア１６０のロックが解除された後、ドア１６０と筐体１１０との間に、手を差し込める程度の隙間を形成するため、筐体１１０を押し、ドア１６０と筐体１１０とを離間させるためのピンである。
【００９４】
このような押ピン１８０Ａ，１８０Ｂは、第２実施形態では、円形のドア１６０の周縁部に設けられている。さらに説明すると、押ピン１８０Ａ，１８０Ｂは、ヒンジ１７０から異なる位置，詳細には、図９に示すように、一方の押ピン１８０Ａはヒンジ１７０（アーム取付部１６４ａ）から近い位置に、他方の押ピン１８０Ｂはヒンジ１７０から遠い位置に配置されている。
【００９５】
なお、ドア１６０はヒンジ１７０を支点として開き、押ピン１８０Ａ，１８０Ｂの位置を作用点としてドア１６０を押し開く力が作用するので、押ピン１８０Ａ，１８０Ｂは、ヒンジ１７０及び円形のドア１６０の中心を通る直径線Ｄ上で、近い位置と遠い位置とに振り分け配置されることが好ましい。
【００９６】
次に、本発明の第２実施形態の主要部になるドア本体１６３について説明する。
【００９７】
ドア本体１６３については、前述の縦型洗濯乾燥機でも述べたように、内面側となるドア本体１６３は不燃のガラスでできている。
【００９８】
内面側は、前述の縦型同様、水滴や蒸気の結露により洗濯乾燥工程において、内部が見えにくくなることがある。従って、前述同様、内面側にナノサイズの酸化チタン光触媒３１を塗布することで、表面に付着した水滴や結露水を水膜とすることができ、内部の透明性を確保することができる。
【００９９】
さらには、消臭機能を付与できることも前述の通りである。
【０１００】
ドア本体１６３の形状は、内部の気密・水密を保持するためベローズ１５０と接触する円周状の側面部（図１４に示す範囲Ｓ）と、概略平面形状の底面部（図１４に示す範囲Ｌ）を持つ鍋状の形状をしている。酸化チタン光触媒３１の塗布範囲としては概略平面形状の底面部（範囲Ｌ）だけで充分であるが、それ以外の部分についても塗布することを妨げるものではない。
【０１０１】
塗布方法については、前述縦型洗濯乾燥機同様、ナノサイズの酸化チタン粒子を水に分散させたものを、アルカリ洗浄により清浄にしたドア本体のガラス表面に塗布し、酸化チタン層を形成した。
【図面の簡単な説明】
【０１０２】
【図１】第１実施形態に係る縦型洗濯乾燥機の概要を示す図である。
【図２】第１実施形態に係る内蓋の部分断面図である。
【図３】第１実施形態に係る外蓋内部に取付けられた光源と内蓋との位置関係の概略を示す図である。
【図４】本発明の実施例に係る水滴が付着したときの様子を示すイメージ図である。
【図５】本発明の実施例に係る蒸気が結露したときの様子を示すイメージ図である。
【図６】第２実施形態に係るドラム式洗濯乾燥機の外観斜視図である。
【図７】第２実施形態に係るドラム式洗濯乾燥機の斜視図であり、ドアが開き、前パネルを外した状態を示す。
【図８】第２実施形態に係るドラム式洗濯乾燥機の縦断面図である。
【図９】第２実施形態に係るドアを後方から見た図である。
【図１０】第２実施形態に係るヒンジを示す図であって、図６のＸ１−Ｘ１線断面図であり、ドアが閉じている状態である。
【図１１】第２実施形態に係るヒンジを示す図であって、図６のＸ１−Ｘ１線断面図であり、ドアが開いている状態である。
【図１２】第２実施形態に係るロック手段を示す図であって、図６のＸ２−Ｘ２線断面図である。
【図１３】第２実施形態に係る押ピンを示す図であって、図３のＸ３−Ｘ３線断面図である。
【図１４】第２実施形態に係るドア本体の断面図である。
【符号の説明】
【０１０３】
２  外槽
３  内槽
１７  外蓋
１８  内蓋
２５  循環ファン（送風手段）
２８  光源
２９  ヒータ（加熱手段）
３０  透明窓
３１  酸化チタン光触媒
３３  透明窓パッキン
３４，３４ｂ  結露水
３４ａ  水滴
４０  ヒータ（加熱手段）
１０１  ドラム式洗濯乾燥機
１１０  筐体
１１２，１１３  前パネル
１１４  ロック解除ボタン
１２０  外槽
１３０  回転ドラム
１５０  ベローズ（シール部材）
１５１  リップ
１６０  ドア
１６１  フレーム
１６３  ドア本体
１６４  押え板
１６５  クランプ（ロック手段）
１７０  ヒンジ
１７１  回動アーム
１７７  圧縮コイルバネ
１８０Ａ，１８０Ｂ  押ピン
１８１  ピン本体
１８３Ａ，１８３Ｂ  押しバネ
Ｗ  洗濯物
【図１】
2008295957.tif 000003
【図２】
2008295957.tif 000004
【図３】
2008295957.tif 000005
【図４】
2008295957.tif 000006
【図５】
2008295957.tif 000007
【図６】
2008295957.tif 000008
【図７】
2008295957.tif 000009
【図８】
2008295957.tif 000010
【図９】
2008295957.tif 000011
【図１０】
2008295957.tif 000012
【図１１】
2008295957.tif 000013
【図１２】
2008295957.tif 000014
【図１３】
2008295957.tif 000015
【図１４】
2008295957.tif 000016